(57)【要約】  本発明は、熱溶着プロセスが不要な、二次包装を形成するためのブランク（１０）に関する。二次包装は、１つ以上のブリスターパック（５１）を受容するように構成された内側スライドカードである。ポケット開口部（３０）は、ブランク（１０）の一のパネル（１４）に形成される。受容部分（４４）は、１つ以上のパネルに形成される。ブリスターパック（５１）は、ポケット開口部（３０）を通じて二次包装内部に挿入される。受容部分（４４）は、所望の位置にブリスターパック（５１）を保持するためにブリスターパック（５１）の縁部（５６）と機械的に相互作用する。挿入されたブリスターパック（５１）の出口領域は、二次包装のパネル（１２）に形成されたゲート（４０）と位置合せされる。ブリスターパック（５１）が二次包装に対して適切に向いた場合には、ブリスターパック（５１）は、機械的結合、接着、又はその両方によって所定位置にロックされる。
2010512285.tif 000002
【特許請求の範囲】
【請求項１】
基部パネル（１２）と、
少なくとも１つのブリスターパック受容開口部（３０）を含んでいる頂部パネル（１４）と、
前記ブリスターパック受容開口部（３０）の近傍に形成された少なくとも１つの受容フランジ（４４）と、
を備えている、ブリスターパックの二次包装を形成するためのブランクであって、
前記頂部パネル（１４）が前記基部パネル（１２）に接続された場合に、ブリスターパック受容ポケット（５０）が、少なくとも１つの前記受容フランジ（４４）と前記ブリスターパック受容開口部（３０）とによって、少なくとも部分的に形成されていることを特徴とするブランク。
【請求項２】
前記ブリスターパック受容開口部が、挿入縁部（３６）を備えていることを特徴とする請求項１に記載のブランク。
【請求項３】
前記受容フランジ（４４）が、ブリスターフランジ（５６）を受容するように構成されていることを特徴とする請求項１に記載のブランク。
【請求項４】
ブリスターパック（５１）と二次包装とを備えている、前記ブリスターパック（５１）を受容且つ保持するための包装であって、
前記二次包装は、
基部パネル（１２）と、
少なくとも１つのブリスターパック受容開口部（３０）を含んでいる頂部パネル（１４）と、
前記ブリスターパック受容開口部（３０）の近傍に形成された少なくとも１つの受容フランジ（４４）と、
少なくとも１つの前記受容フランジ（４４）と前記ブリスターパック受容開口部とによって、少なくとも部分的に形成され、前記ブリスターパック（５１）を受容且つ保持するように構成されたブリスターパック受容ポケット（５０）と、
を備えていることを特徴とする包装。
【請求項５】
前記ブリスターパック受容ポケットが、ポケット開口部（５２）によって形成されていることを特徴とする請求項４に記載の包装。
【請求項６】
前記ブリスターパックは、前記頂部パネル又は前記基部パネルに接続された先縁部（５４）を含んでいることを特徴とする請求項４に記載の包装。
【請求項７】
ブリスターパックの二次包装を形成するための方法であって、
前記ブリスターパックの前記二次包装を形成するために、基部パネル（１２）を頂部パネル（１４）に接続するステップを備えている方法において、
前記ブリスターパックの前記二次包装が、
少なくとも１つのブリスターパック受容開口部（３０）と、
前記ブリスターパック受容開口部（３０）の近傍に形成された少なくとも１つの受容フランジ（４４）と、
少なくとも１つの前記受容フランジ（４４）と前記ブリスターパック受容開口部（３０）とによって少なくとも部分的に形成されたブリスターパック受容ポケット（５０）と、
を備えていることを特徴とする方法。
【請求項８】
接着領域（４２）が、前記基部パネル（１２）を前記頂部パネル（１４）に接続するために利用されることを特徴とする請求項７に記載の方法。
【請求項９】
接続手段（４２）が、前記基部パネル（１２）を前記頂部パネル（１４）に固定するために利用されることを特徴とする請求項７に記載の方法。
【請求項１０】
前記ブリスターパック（５４）を前記ブリスターパック受容ポケット（５０）内部に挿入するステップを備えていることを特徴とする請求項７に記載の方法。
【請求項１１】
前記基部パネル（１２）及び前記頂部パネル（１４）が、略同一形態をしたブランク（１０）の、折り曲げ可能に接続された部分であることを特徴とする請求項７に記載の方法。
【請求項１２】
前記基部パネル（１２）及び前記頂部パネル（１４）が、重ねられた関係で共に組み立てられた、独立した部品であることを特徴とする請求項７に記載の方法。
【請求項１３】
前記接続手段が両面テープ（１４２）であることを特徴とする請求項９に記載の方法。
【発明の詳細な説明】
【技術分野】
【０００１】
［関連出願］
本願は、参照によって本明細書に組み込まれている、米国仮特許出願第６０／８６９，００４号明細書に基づく優先権を主張するものである。
【０００２】
本発明は、包装に関する。より具体的には、本発明は、ブリスターパックのための二次包装に関する。
【背景技術】
【０００３】
タブレット、ピル、カプセル、ジェル状タブレット、及びこれらに類するものの形態をした薬剤は、一般に一次包装、例えば従来型のブリスターパック内に載置且つ密封されている。その後に、一次包装は、エンドユーザが薬剤を最終的に購入し消費するために、例えば従来型の箱又はカートンのような二次包装内に載置される場合がある。一次包装及び／又は二次包装の機能性及び有用性を高めることも知られている。このような機能性及び有用性が高められ、チャイルドプルーフ機構を含んでいる包装の一例としては、消費製品用包装のための、出願人のＤＯＳＥＰＡＫ（登録商標）ブランドの製品が挙げられる。例えば、非特許文献１を参照して欲しい。
【０００４】
幾つかの実施例では、消費製品用包装のためのＤＯＳＥＰＡＫブランドの製品は、外側スリーブ内に配置された内側スライドカード内部又は内側スライドカード自体に固定されたブリスターパックを含んでいる。内側スライドカード及び外側スリーブの両方に設けられた機構及び構成部品によって、内側スライドカードは、外側スリーブ内部に取り外し可能にロックされる。これら実施例では、その結果物は、起用さや力が乏しいエンドユーザであっても比較的容易に操作可能な、チャイルドプルーフ機構を備えた包装である。消費製品のための包装であるＤＯＳＥＰＡＫブランドの製品は、特にブリスターパックが普及しているヘルスケア産業に広く受け入れられている。ＤＯＳＥＰＡＫブランドの製品のこれら特徴及び他の特徴については、特許文献１、特許文献２、特許文献３、及び特許文献４を参照することによって明確に理解することができる。ブリスターパックを充填し出荷するプロセスは、二次包装を有する有しないに関わりなく、ブリスターパックによって保持される物品を製造する製造業者又はそのようなサービスをする契約を締結した他の団体、いわゆる“詰込業者（filler）”の責任である。ブリスターパックを二次包装、例えばカードに固定する詰込業者は、一般に熱融着プロセスを利用することによって、ブリスターパックを二次包装に固定する。当業者であれば理解することができるように、熱溶着プロセスは、接着剤が塗布された板紙材にブリスターパックを取り付けるステップと、ブリスターパックが板紙に固定されるか、又は板紙の層同士の間に捕捉されるように加熱するステップとを含んでいる。熱溶着する際に利用される、接着剤が塗布された板紙材としては、出願人のＥＡＳＹＳＥＡＬ（登録商標）やＥＡＳＹＳＥＡＬ  ＰＬＵＳ（登録商標）ブランドの製品の、接着剤が塗布された板紙製品が挙げられる。
【先行技術文献】
【特許文献】
【０００５】
【特許文献１】米国特許第６，０４７，８２９号明細書
【特許文献２】米国特許第６，２３０，８９３号明細書
【特許文献３】米国特許第６，４１２，６３６号明細書
【特許文献４】米国特許第６，７５２，２７２号明細書
【非特許文献】
【０００６】
【非特許文献１】http://www.meadwestvaco.com/healthcare.nsf
【発明の概要】
【発明が解決しようとする課題】
【０００７】
本発明の目的は、熱溶着プロセスを必要としない安全な二次包装に関するニーズ及び市場を生み出すことである。
【課題を解決するための手段】
【０００８】
本明細書には、熱溶着プロセスを利用せず、二次包装を形成するためのブランクが開示されている。二次包装は、１つ以上のブリスターパックを受容するように構成された内側スライドカードである場合がある。二次包装のためのブランクは、一体材料から形成されるか、又は幾つかの独立且つ相違する材料片から組み立てられる。ブランクは幾つかのパネルを含んでいる。ポケット開口部は、パネルのうち一のパネルに形成されている。受容部分は、パネルのうち１つ以上のパネルに形成されている。受容部分は、基材を所望の構成に切断するか、又は例えば接着テープ若しくは接着剤のような他の材料を加えることによって形成されている。ブランクがブリスターパックの二次包装を形成するために直立された後に、ブリスターパックが、パネルのうち一のパネルに形成されたポケット開口部を通じて二次包装内部に挿入される。幾つかの実施例では、受容部分は、ブリスターパックを所望の位置に保持するために、ブリスターパックの両縁部と機械的に相互作用する。挿入されたブリスターパックの出口領域は、二次包装の所定のパネルに形成されたゲートと位置合わせされる。ブリスターパックの向きが二次包装に対して適切である場合には、ブリスターパックは所定位置に機械的にロックされるか、接着されるか、又は機械的にロックされ且つ接着される。二次包装を形成するか、又はブリスターパックを所望の向きに保持するために、溶着する必要はない。
【０００９】
さらに、本明細書の実施例は、ブリスターパックの二次包装を形成するためのブランクを含んでいる。ブランクは、基部パネルと、少なくとも１つのブリスターパック受容開口部を備えた頂部パネルとを含んでいる。接続手段は、基部パネル、頂部パネル、又はその両方に設けられている。ブランクは、ブリスターパック受容開口部近傍に少なくとも１つの受容フランジも含んでいる。ブリスターパック受容ポケットは、頂部パネルが基部パネルに接続された場合に、接続手段及びブリスターパック受容開口部によって少なくとも部分的に形成される。
【００１０】
本発明の実施態様では、ブリスターパックを受容するためのブリスターパック受容開口部は挿入縁部を含んでいる。
【００１１】
本発明の他の実施態様では、受容フランジは、ブリスターパックのフランジを受容するように構成されている。本発明の他の実施例は、ブリスターパックを受容し且つ保持するための包装を含んでいる。ブリスターパックの包装は二次包装を含んでいる。二次包装は、基部パネルと、少なくとも１つのブリスターパック受容開口部を備えた頂部パネルとを含んでいる。固定手段は、基部パネル、頂部パネル、又はその両方に設けられている。包装は、ブリスターパック受容開口部の近傍に少なくとも１つの受容フランジと、ブリスターパックを受容且つ保持するように構成されたブリスターパック受容ポケットとを含んでいる。ブリスターパック受容ポケットは、接続手段とブリスターパック受容開口部とによって少なくとも部分的に形成されている。
【００１２】
本発明の他の実施態様では、ブリスターパック受容ポケットは、ポケット開口部によってさらに形成されている。
【００１３】
本発明の他の実施態様では、ブリスターパックは、頂部パネル及び基部パネルのうち一方のパネルに接続された先縁部をさらに含んでいる。
【００１４】
これら特徴及び他の特徴については、添付の図面を参照しつつ以下に説明する。
【図面の簡単な説明】
【００１５】
【図１】本発明の典型的な実施例におけるブランクの平面図である。
【図２】本発明の代替的な実施例におけるブランクの平面図である。
【図３Ａ】典型的なブランクを組み立て、これにより二次包装を形成するための４つの段階のうち一の段階を表わす斜視図である。
【図３Ｂ】典型的なブランクを組み立て、これにより二次包装を形成するための４つの段階のうち一の段階を表わす斜視図である。
【図３Ｃ】典型的なブランクを組み立て、これにより二次包装を形成するための４つの段階のうち一の段階を表わす斜視図である。
【図３Ｄ】典型的なブランクを組み立て、これにより二次包装を形成するための４つの段階のうち一の段階を表わす斜視図である。
【図４】本発明の他の代替的な実施例におけるブランクの平面図である。
【発明を実施するための形態】
【００１６】
本明細書は、必要に応じて、本発明の詳細な実施例を開示するものである。開示の実施例は、本発明の典型的な例にすぎず、当該実施例は、様々な形態、代替的な形態、及びこれら形態を組み合わせた形態で実現可能とされることに留意すべきである。本明細書で利用されるように、“典型的（exemplary）”との用語は、説明図、実例、モデル、又はパターンとして有用な実施例を示すために、広義に利用される。図面は、必ずしも縮尺通りに描かれている訳ではなく、幾つかの特徴は、特定の構成部材を詳細に表わすために誇張又は縮小されている場合がある。他の例では、本発明を明確にするために、公知の構成部材、システム、材料、又は方法が詳細には説明されていない。従って、本明細書に開示される特定の構造及び特定の機能に関する詳細は、限定的に解釈されるべきではなく、単に特許請求の範囲を理解するための根拠、及び本発明の多様な利用を当業者に示唆するための代表的な根拠として解釈されるべきである。
【００１７】
類する構成部材には類する参照符号が付されている図面を参照すると、図１は、二次包装を形成するための典型的なブランク１０、この場合にはブリスターパックを受容するように構成された内側スライドカードを表わす。さらに、図示のブランクは、同一形態をした単体ブランク（unitary blank）であることを前提として図示及び説明されているが、本発明のブランクは、共に一体化又は組付けがなされ且つ分割及び／又は分離した、パネルから組み立てられ且つ直立されることは言うまでもない。パネルは、任意の適切な接着剤、テープ、ラベル、又は熱溶融剤を利用することによって共に結合される。代替的には、このようなパネルは、ＥＡＳＹＳＥＡＬ  ＰＬＵＳ（登録商標）シリーズの板紙を利用することによって作られる。ブリスターパックの様々な実施例には、例えば紙及び／又は箔のような様々なタイプの裏当て材を備えたブリスターパック、例えばプラスチック、アルミニウムや紙のような様々な材料から作られたブリスターパック、様々なタイプのチャイルドプルーフ機能を備えたブリスターパック、及びこれらブリスターパックを組み合わせたブリスターパックが含まれるが、そのすべてが当業者によく知られているので、本明細書において参照されるブリスターパックの構造又は機能については、本明細書では詳述しない。
【００１８】
さらに、図示された内側スライドカードは、外側スリーブによって解放可能に受容されるように構成されており、例えばＤＯＳＥＰＡＫ（登録商標）ブランドのファミリー製品に関連し且つ係属する、様々な米国仮特許出願、外国特許出願、及び特許公報に開示されている。従って、本明細書では、図示された内側スライドカードと外側スリーブとの関係について、これ以上説明しない。また、ブランク１０の基材として利用される材料は、任意且つ周知の材料又は該周知の材料の組み合わせから選択される。
【００１９】
引き続き図１を参照すると、二次包装を形成するための、図示されたブランク１０は、基部パネル１２と、第１の折り曲げ線１６に沿って折り曲げ可能に基部パネル１２に取り付けられた頂部パネル１４と、第２の折り曲げ線２０に沿って折り曲げ可能に基部パネル１２に取り付けられた背部パネル１８と、第３の折り曲げ線２４に沿って折り曲げ可能に背部パネル１８に取り付けられたカバーパネル２２と、第４の折り曲げ線２８に沿って折り曲げ可能に基部パネル１２に取り付けられたロックパネル２６とを含んでいる。本願では図示しない代替的な実施例では、二次包装１０はロックパネル２６を含んでいない。本願では図示しないさらなる他の代替的な実施例では、二次包装１０は、ロックパネル２６、カバーパネル２２、又は背部パネル１８、ひいては折り曲げ線２０，２４，２８を含んでいない。
【００２０】
頂部パネル１４は、ブリスターパックを受容するためのブリスターパック受容開口部３０をさらに含んでいる。図示されたブリスターパック受容開口部３０の周縁部は、頂部パネル１４の周縁と略同一形状とされ、対向する側縁部３２ａ，３２ｂと端縁部３４と挿入縁部３６とによって形成されている。挿入縁部３６は、対向し且つブリスターパック受容開口部３０である空洞に対して相対的に外側に向いた、円弧状の切欠部３８ａ，３８ｂで始端及び終端している。図示された実施例では、ブリスターパック受容開口部３０の周縁は、基部パネル１２に設けられた一連のゲート４０の外周縁よりも僅かに大きい。ゲート４０は、ブリスターパックのブリスターから物品が取り外されることを防止するために設けられている。本願では図示の如く、各ゲート４０は目打ち（perforation）によって形成されている。ゲート４０を形成する目打ちは切断可能であるので、ブリスターパックの各ブリスターから物品を取り除く前、又は取り除くと共に、ゲート４０を取り除くことができる。代替的な実施例では、ゲート４０は開口部であり、ブリスターから物品が取り外されることを防止することができない。
【００２１】
スライドカードを形成するために図示のブランク１０を直立させる際に、１つ以上の接着領域４２が、頂部パネル１４を基部パネル１２に接続するために、初期段階において頂部パネル１４の各側縁部３２ａ，３２ｂの近傍に設けられている。基部パネル１２と頂部パネル１４とを接続する場合に、側縁部３２ａ，３２ｂと接続手段又は固定手段４２との間で頂部パネル１４に形成された領域が基部パネル１２に接続されていないので、図３Ａ〜図３Ｄを参照してさらに説明するように、受容フランジ４４ａ，４４ｂが形成されている。図示されたブランク１０が２つの接着領域を含む一方、接続手段又は固定手段４２が頂部パネル１４を基部パネル１２に接続するために利用可能であることに留意すべきである。接続手段又は固定手段４２としては、例えば常温接着剤、熱溶融性接着剤、エポキシ接着剤、これら接着剤の組み合わせ、又は類する接着剤のような化学的結合製品と、例えばステープル、縫製、押込み、リベット、これらの組み合わせ、又は類する結合手段のような機械的結合製品と、例えば溶着、片面テープ又は両面テープ、これらの組み合わせ、又は類する結合手段のような化学的／機械的結合製品とが挙げられるが、これらに限定される訳ではない。幾つかの実施例では、ＥＡＳＹＳＥＡＬ  ＰＬＵＳ（登録商標）ブランドの板紙を利用した面シールが、ブランクを形成し且つ密閉するために利用される。代替的な実施例では、接続手段４２も端縁部３４及び／又は前縁部３６の近傍に設けられている。代替的な実施例では、接着領域４２が、初期段階において基部パネル１２に設けられている。
【００２２】
図２は、二次包装を形成するための典型的なブランク１０、この場合にはブリスターパックを受容するように構成された内側スライドカードの代替的な実施例を表わす。図２に表わす構成部品は図１に表わす構成部品に類似しており、唯一の違いは頂部パネル１４に配置された幾つかの構成部品の向きである。図２に表わす頂部パネルは、いわば図１に表わす頂部パネルの鏡像体である。
【００２３】
図３Ａ〜図３Ｄは、二次包装を形成するためにブランク１０を折り畳み直立させる典型的な方法を、集合的に示す斜視図である。図３Ａは、切断形成プロセスが完了した後、且つ、図示の接続手段４２が頂部パネル１４上に位置決めされた後における、図２のブランク１０の斜視図である。その後、頂部パネル１４は、図３Ｂに表わすように第１の折り曲げ線１６に沿って折り曲げられ、これにより接続手段４２が、頂部パネル１４を基部パネル１２に面接触する向きで接続させる。挿入縁部３６が背部パネル１８に向かって方向付けられていることに留意すべきである。
【００２４】
図３Ｃは、完全に組み立てられたが、まだ完全には直立されていない二次包装を表わす。頂部パネル１４を基部パネル１２に接続することによって、ブリスターパックを受容するためのブリスターパック受容ポケット５０が、受容フランジ４４ａ，４４ｂと、基部パネル１２に固定されていない端縁部３４及び挿入縁部３６に沿った材料の一部と、によって形成されることは言うまでもない。ブランクがこのような状態にまで（to this point）直立された後に、挿入縁部３６はポケット開口部５２として機能することができる。図３Ｃは、完全に組み立てられた二次包装内に充填される前及び充填された後の両方における、従来のブリスターパック５１も表わす。ブリスターパック５１をブリスターパック受容ポケット５０内に充填するために、詰込業者がブリスターパックの先縁部５４をポケット開口部５２に向かって矢印“Ａ”の方向に移動させる。より具体的には、詰込業者は、ブリスターパックの側縁部５６ａ，５６ｂを受容フランジ４４ａ，４４ｂと位置合わせし係合開始するために、挿入縁部３６の上方且つ円弧状の切欠部３８ａ，３８ｂの下方において先縁部５４を滑動させる。ブリスターパックの側縁部５６ａ，５６ｂが円弧状の切欠部３８ａ，３８ｂの下方に正しく位置決めされると、側縁部５６ａ，５６ｂが受容フランジ４４ａ，４４ｂ内部に略完全に挿入され、且つ、ブリスターパックの先縁部５４がブリスターパック受容開口部の端縁部３４の下方を通過するまで、ブリスターパック５１を押すことによって、詰込業者は、ブリスターパック５１をブリスターパック受容ポケット５０内部に完全に挿入する。その後に、詰込業者は、ブリスターパックの後縁部５８を挿入縁部３６の後方且つ下方に滑動させ、これによりブリスターパック５１の全周縁が頂部パネル１４と基部パネル１２との間に捕捉される。様々な実施例では、例えば頂部パネル１４が図１に示すように切り取られている場合に、ブリスターパックが反対側の端部から充填可能とされる。さらに、様々な実施例では、ブリスターパックは付加的な接続手段４２によって二次包装に固定可能とされる。
【００２５】
図３Ｄは、内側スライドカードの形態をした二次包装を直立させるために、図３Ａに表わすブランク１０の、組み立て及び折り畳みが完了した状態を表わす。ブリスターパック５１をブリスターパック受容ポケット５０内に挿入した後に、背部パネル１８及びカバーパネル２２が各折り曲げ線２０，２４に沿って折り曲げられるので、カバーパネル２２がブリスターパック５１の上方に配置され、且つ、基部パネル１２に対して略平行となる。同様に、ロックパネル２６は、内側スライドカードを受容する外側スリーブの構成に依存して、図示の如く上方に又は下方に自身に隣接する折り曲げ線２８に沿って折り曲げられる。
【００２６】
幾つかの用途では、図３Ａ〜図３Ｄに表わす組立詰込プロセスは、例えば製造者や詰込業者のような単一の団体によって一箇所で完結される。他の用途では、図３Ａ及び図３Ｂに表わす組立プロセスが一団体によって一箇所で完了され、その後に、二次包装が別の場所にいる詰込業者に送られ、図３Ｃ及び図３Ｄに表わす詰込ステップが完結される。組み立てられたが空のブランクを業者間で出荷する際には、ブランクは図３Ｃに表わすように平坦な状態で出荷されるか、又は図３Ｄに表わすように予め折り畳まれた状態で出荷される。
【００２７】
図４は、本発明の代替的な実施例における他の梱包用ブランクを表わす。当該実施例において、上述の構成部品に類する構成部品の参照符号には、上述の構成部品の参照符号の先頭に“１”が付されている。例えば、図１に表わす基部パネル１２は図４に表わす基部パネル１１２に類している。従って、図４の典型的な実施例に表わす構成部品は説明されているので、さらなる説明を必要とする特徴に限り、以下に説明する。
【００２８】
図４を参照すると、代替的な二次包装のためのブランク１１０は基部パネル１１２を含んでいる。頂部パネル１１４は、折り曲げ線１１６に沿って折り曲げ可能に基部パネル１１２に接続されている。背部パネル１１８は、折り曲げ線１２０に沿って折り曲げ可能に基部パネル１１２に接続され、且つ、折り曲げ線１２４に沿って折り曲げ可能にカバーパネル１２２に接続されている。ロックパネル１２６は、折り曲げ線１２８に沿って折り曲げ可能に基部パネル１１２に接続されている。代替的な実施例では、図示しないが、二次包装のためのブランク１１０はロックパネル１２６を含んでいない。さらなる他の代替的な実施例では、図示しないが、二次包装のためのブランク１１０はロックパネル１２６、カバーパネル１２２、又は背部パネル１１８を含んでいない。
【００２９】
頂部パネル１１４は、ブリスターパックを受容するためのブリスターパック受容開口部１３０をさらに含んでいる。図示の実施例では、ブリスターパック受容開口部１３０は、基部パネル１１２に配置されたゲート１４０と略同一の大きさである。頂部パネル１１４が基部パネル１１２に折り重ねられるか、又は基部パネル１１２と面接触する向きで配置された場合には、ブリスターパック受容開口部及びゲートは機能的に配置される。さらに、接続手段１４２は、頂部パネル１１４上に設けられていることが図示されている。図４は、ブリスターパック１５１の実施可能な配向の一例を表わす。
【００３０】
図４では、接着領域１４２は、頂部パネル１１４の内面（図において視認可能な表面）に配置されており、片面粘着ラベルや両面テープに見られるような剥離可能な裏面によって保護されている。また、当該実施例に示すように、接続手段又は固定手段１４２は、頂部パネル１１４の周囲に配置されているが、頂部パネル１１４の中央には配置されていない。二次包装のためのブランク１１０が組み立てられ且つ直立された場合には、接着領域１４２がその周囲を囲み且つブリスターパック１５１の大部分が配置される領域が、受容フランジ１４４ａ，１４４ｂとブリスターパック受容ポケット１５０とを形成する。
【００３１】
図示の実施例を組み立て且つ充填する際に、接着領域１４２の剥離可能な裏面が取り除かれ、ブリスターパック１５１は、ブリスターがブリスター開口部１３０を通じて突出するように載置される。図示の実施例では、ブリスターパックの先縁部１５４が、ブリスターパック１５１をさらに固定するために接着領域１４２に重なっている。その後に、頂部パネル１１４は、基部パネル１１２に重なり且つ接触するように折り曲げられる。その後に接着領域１４２によって、頂部パネル１１４が基部パネル１１２に固定されるので、ブリスターパック受容ポケット１５０内部において受容フランジ１４４ａ，１４４ｂに沿ってブリスターパック１５１を捕捉することができる。その後に、背部パネル１１８、カバーパネル１２２、及びロックパネル１２６が上述のように二次包装を直立させるように折り曲げられる。
【００３２】
本願において図示し且つ説明した実施例は、単一のブリスターパックを収容する二次包装に関するものである。ここでは図示しないが、代替的な実施例では、頂部パネルと基部パネルとの同一の又は相違する組み合わせによって、ブランクが複数のブリスターパックを保持するように構成されている。他の実施例では、ブランクは単一のブランクではなく、個々のブランク部分から成る。
【００３３】
法は、本発明における実施可能な実施例それぞれを図示し且つ示唆することを要求せず、経済的観点から禁じている。さらに、上述の実施例は、本発明の原理を完全に理解するために開示された典型的な実施例を説明しているにすぎない。上述の実施例に対して変化、改良、及びこれらの組み合わせをすることは、本発明の技術的範囲を逸脱するものではない。本明細書及び特許請求の範囲の技術的範囲には、本明細書におけるこのような変形、改良、及びこれらの組み合わせのすべてが含まれている。
【符号の説明】
【００３４】
１０  ブランク
１２  基部パネル
１４  頂部パネル
１６  第１の折り曲げ線
１８  背部パネル
２０  第２の折り曲げ線
２２  カバーパネル
２４  折り曲げ線
２６  ロックパネル
２８  折り曲げ線
３０  ブリスターパック受容開口部
３２ａ  側縁部
３２ｂ  側縁部
３４  端縁部
３６  挿入縁部（前縁部）
３８ａ  切欠部
３８ｂ  切欠部
４０  ゲート
４２  接着領域（接続手段又は固定手段）
４４ａ  受容フランジ
４４ｂ  受容フランジ
５０  ブリスターパック受容ポケット
５１  ブリスターパック
５２  ポケット開口部
５４  先縁部
５６ａ  側縁部
５６ｂ  側縁部
５８  後縁部
【図１】
2010512285.tif 000003
【図２】
2010512285.tif 000004
【図３Ａ】
2010512285.tif 000005
【図３Ｂ】
2010512285.tif 000006
【図３Ｃ】
2010512285.tif 000007
【図３Ｄ】
2010512285.tif 000008
【図４】
2010512285.tif 000009
【国際調査報告】
2010512285.tif 000010
2010512285.tif 000011